(57)【要約】【課題】本発明は、極めて商品価値の高い画期的なコンテナを提供することを目的とする。【解決手段】背部材１の両側に左部材２と右部材３とを平面コ字状に立設するとともに、この背部材１，左部材２及び右部材３間に架設される底部材４を背部材１の下方位置に枢着して水平となる伏状態から直立した起き状態となるように起伏自在に構成したコンテナであって、前記底部材２を伏状態若しくは起状態にした際、背部材１，左部材２及び右部材３の少なくともいずれかに設けた係止部５に係止する適度な撓み弾性を有する樹脂製の係止突部６を前記底部材４に突設して、底部材４の伏状態若しくは起状態が保持されるように構成されたものである。【選択図】　　　　図２
2004090873.tif 000002
【特許請求の範囲】
【請求項１】
背部材の両側に左部材と右部材とを平面コ字状に立設するとともに、この背部材，左部材及び右部材間に架設される底部材を背部材の下方位置に枢着して水平となる伏状態から直立した起き状態となるように起伏自在に構成したコンテナであって、前記底部材を伏状態若しくは起状態にした際、背部材，左部材及び右部材の少なくともいずれかに設けた係止部に係止する適度な撓み弾性を有する樹脂製の係止突部を前記底部材に突設して、底部材の伏状態若しくは起状態が保持されるように構成されていることを特徴とするコンテナ。
【請求項２】
戻り付勢が生じるように湾曲せしめた樹脂製の板状体の左右端部を前記底部材の側部に設けた取付孔部に係止し、この板状体の湾曲部を前記底部材の側部から突出状態に設けて前記係止突部を構成したことを特徴とする請求項１記載のコンテナ。
【請求項３】
前記背部材，左部材及び右部材を、縦材と横材とから成る方形枠状体で構成し、この背部材の縦材に連設される左部材の縦材，背部材の縦材に連設される右部材の縦材の少なくとも一方を、起き動させた底部材に設けた係止突起が撓んで乗り越え通過した後に係止することで底部材の起き状態を保持する前記係止部として構成したことを特徴とする請求項１，２のいずれか１項に記載のコンテナ。
【請求項４】
前記係止突部は前記底部材の左右側部夫々に突設されていることを特徴とする請求項１〜３のいずれか１項に記載のコンテナ。
【請求項５】
前記背部材の両側に連設される左部材と右部材の少なくとも一方は背部材に枢着連結されて背部材に対して重合状態となるように折り畳み可能に構成されていることを特徴とする請求項１〜４のいずれか１項に記載のコンテナ。
【発明の詳細な説明】
【０００１】
【発明の属する技術分野】
本発明は、荷物を搬送したり収納したりする際などに利用されるコンテナに関するものである。
【０００２】
【従来の技術及び発明が解決しようとする課題】
従来から、荷物を搬送したり収納したりする際などに利用されるコンテナが提案されている。
【０００３】
このコンテナは、背部材の両側に左部材と右部材とを平面コ字状に立設するとともに、この背部材，左部材及び右部材間に底部材を架設して構成されている。
【０００４】
ところで、このコンテナの底部材は、背部材の下方位置に枢着されることで、水平状態から起伏自在となるように構成されており、これは、底部材を起状態とし、背部材に対して左部材若しくは右部材のいずれか一方を擺動させることで平面Ｌ字状となるようにコンパクトに折り畳むことができるようにするための構成であり、よって、使用しない時など他のコンテナと重ねた状態で収納でき非常に便利である。
【０００５】
そこで、このコンテナは、その構造上、擺動自在に設けられる底部材が不意に擺動してしまうのを防止する為、底部材の伏状態及び起状態を保持する為の保持構造が必須とされる。尚、本出願人は、この種の物品（コンテナ）として特願２００１−３１５３８８号を提案している。
【０００６】
本出願人は、このコンテナに関する底部材の伏状態及び起状態を保持する保持構造に着目し、極めて商品価値の高い画期的なコンテナを開発した。
【０００７】
【課題を解決するための手段】
添付図面を参照して本発明の要旨を説明する。
【０００８】
背部材１の両側に左部材２と右部材３とを平面コ字状に立設するとともに、この背部材１，左部材２及び右部材３間に架設される底部材４を背部材１の下方位置に枢着して水平となる伏状態から直立した起き状態となるように起伏自在に構成したコンテナであって、前記底部材２を伏状態若しくは起状態にした際、背部材１，左部材２及び右部材３の少なくともいずれかに設けた係止部５に係止する適度な撓み弾性を有する樹脂製の係止突部６を前記底部材４に突設して、底部材４の伏状態若しくは起状態が保持されるように構成されていることを特徴とするコンテナに係るものである。
【０００９】
また、戻り付勢が生じるように湾曲せしめた樹脂製の板状体１１の左右端部を前記底部材４の側部に設けた取付孔部４ａに係止し、この板状体１１の湾曲部を前記底部材４の側部から突出状態に設けて前記係止突部６を構成したことを特徴とする請求項１記載のコンテナに係るものである。
【００１０】
また、前記背部材１，左部材２及び右部材３を、縦材１Ａ，２Ａ，３Ａと横材１Ｂ，２Ｂ，３Ｂとから成る方形枠状体で構成し、この背部材１の縦材１Ａに連設される左部材２の縦材２Ａ，背部材１の縦材１Ａに連設される右部材３の縦材３Ａの少なくとも一方を、起き動させた底部材４に設けた係止突起６が撓んで乗り越え通過した後に係止することで底部材４の起き状態を保持する前記係止部５として構成したことを特徴とする請求項１，２のいずれか１項に記載のコンテナに係るものである。
【００１１】
また、前記係止突部６は前記底部材４の左右側部夫々に突設されていることを特徴とする請求項１〜３のいずれか１項に記載のコンテナに係るものである。
【００１２】
また、前記背部材１の両側に連設される左部材２と右部材３の少なくとも一方は背部材１に枢着連結されて背部材１に対して重合状態となるように折り畳み可能に構成されていることを特徴とする請求項１〜４のいずれか１項に記載のコンテナに係るものである。
【００１３】
【発明の実施の形態】
好適と考える本発明の実施の形態（発明をどのように実施するか）を、図面に基づいてその作用効果を示して簡単に説明する。
【００１４】
本発明は、底部材２を伏状態若しくは起状態にした際、この底部材２に突設される適度な撓み弾性を有する樹脂製の係止突部６が背部材１，左部材２及び右部材３の少なくともいずれかに設けた係止部５に係止し、よって、底部材４の伏状態若しくは起状態が保持される。
【００１５】
従って、底部材２を伏状態若しくは起状態にする擺動操作を行うだけで、この底部材２の擺動と一連の動作の中で伏状態若しくは起状態が確実に保持されることになり、しかも、この保持構造が樹脂の撓み弾性を利用した簡易構造であるから、コスト安にして量産性に秀れることになり、そして更に、この樹脂による撓み弾性が、背部材１に対して底部材２が擺動する枢着構造の製作時に生じ得る多少の寸法誤差にも確実に対応することでがたつきのない良好な保持状態が得られることになる。
【００１６】
また、背部材１，左部材２及び右部材３を、縦材１Ａ，２Ａ，３Ａと横材１Ｂ，２Ｂ，３Ｂとから成る方形枠状体で構成し、この背部材１の縦材１Ａに連設される左部材２の縦材２Ａ，背部材１の縦材１Ａに連設される右部材３の縦材３Ａの少なくとも一方を、起き動させた底部材４に設けた係止突起６が撓んで乗り越え通過した後に係止することで底部材４の起き状態を保持する係止部５として構成した場合には、コンテナを構成する左部材２，右部材３の少なくともいずれか一方の構成部位が底部材４に設けた係止突部６が係止する係止部５として機能するから、特別な係止部材を別途設ける必要がないなど、コスト安にして量産性に秀れることになる。
【００１７】
また、係止突部６を底部材４の左右側部夫々に突設した場合には、左右位置で確実に且つ堅固に保持されることになり、より一層がたつきが防止されることになる。
【００１８】
【実施例】
本発明の具体的な実施例について図面に基づいて説明する。
【００１９】
本実施例は、背部材１の両側に左部材２と右部材２とを平面コ字状に立設するとともに、この背部材１，左部材２及び右部材３間に架設される底部材４を背部材１の下方位置に枢着して水平となる伏状態から直立した起状態となるように起伏自在に構成した既存構造のものである。
【００２０】
以下、本実施例に係る構成各部について詳細な説明をする。
【００２１】
本実施例を構成する背部材１，左部材２及び右部材３は、夫々適宜な金属製の棒材を連設してフェンス状に形成したものであり、縦材１Ａ，２Ａ，３Ａと横材１Ｂ，２Ｂ，３Ｂとから成る方形枠状体内に補強桟を縦横に架設して構成されている。
【００２２】
また、左部材２は、その縦材２Ａを背部材１の一側部（左縦材１Ａ）に連結金具７を介して直交状態に連結され、一方、右部材３は、その縦材３Ａを背部材１の他側部（右縦材１Ａ）に連結金具８を介して直交状態に枢着連結され、よって、背部材１に対して平面Ｌ字状に重合状態となるように折り畳み可能に構成されている。
【００２３】
また、左部材２及び右部材３は、夫々その下端前後部位に自在車輪９（キャスター）が付設されている。
【００２４】
底部材４は、適宜な金属製の部材を方形板状に形成して構成されている。
【００２５】
この底部材４は、その後端部が背部材１の下端部に枢着連結されており、この枢着部１０を支点に擺動可能となり、水平となる伏状態から直立した起状態となるように起伏自在に設けられている。
【００２６】
また、底部材４は、その左右側部先端部位に係止突部６が設けられている。
【００２７】
この係止突部６は、適宜な合成樹脂製の部材で形成されて適度な撓み弾性を有する係止体１１を設け、この係止体１１を底部材４の左右側部先端部位に設けた取付孔部４ａに圧入嵌挿係止して構成されている。
【００２８】
具体的には、戻り付勢が生じるように湾曲せしめた樹脂製の板状体１１の左右端部１１ａ，１１ｂを前記底部材４の側部に設けた取付孔部４ａに係止するとともに、板状体１１の内面に突設され該板状体１１を支承する板状弾性部１１ｄを底部材４の内方に形成したリブ部４ｂに係止しており、この板状体１１の湾曲部１１ｃを底部材４の側部から突出状態に設けて係止突部６として構成したものである。
【００２９】
従って、底部材４を起き動させ左部材２の縦材２Ａ及び右部材３縦材３Ａを通過する際、板状体１１と板状弾性体１１ｄとが撓み動作を生じて係止突部６は乗り越え通過（突没）することになる。尚、係止突部６としては本実施例のものに限られるものではなく、合成樹脂の撓み弾性を有して底部材４の側部から突没する構造のものであれば、適宜採用するものである。
【００３０】
この係止突部６の突出度合いは、底部材４を起き動させた際、背部材１の縦材１Ａに連設される左部材２の縦材２Ａ及び背部材１の縦材１Ａに連設される右部材３の縦材３Ａの双方を、係止突起６が撓み乗り越え通過（突没して通過）した後に落ち込み係止することで底部材４の起き状態を保持される程度に設定されている。この左部材２の縦材２Ａ及び右部材３の縦材３Ａが請求項で言う係止突部６が係止する係止部５である。
【００３１】
尚、本実施例では、底部材４を起状態としたときに係止突部６が背部材１に圧接係止して起状態を保持し得る構成としたが、左部材２及び右部材３夫々の下端前方位置に圧接係止するように設けることで、伏状態をも保持し得るように構成しても良い。
【００３２】
符号１２は左部材２と右部材３との前方部位を連結して右部材３の擺動を防止する架設連結体である。
【００３３】
本実施例は上述のように構成したから、伏状態にある底部材４を起状態となるように擺動させた際、底部材４に設けた係止突部６は、図６に図示したように左部材２及び右部材３を構成する縦材２Ａ，３Ａに一旦没動して乗り越え通過し、続いて、図７に図示したように左部材２及び右部材３を構成する縦材２Ａ，３Ａの内側で突動して落ち込み係止し、底部材１の起状態が保持される。
【００３４】
よって、本実施例によれば、底部材２を起状態にする擺動操作を行うだけで、この底部材２の擺動と一連の動作の中で起状態が確実に保持されることになり、しかも、この保持構造が特別な構造を設けるのではなく、樹脂の撓み弾性を利用した簡易構造であるから、コスト安にして量産性に秀れることになり、そして更に、この樹脂による撓み弾性が、背部材１に対して底部材２が擺動する枢着構造の製作時に生じ得る多少の寸法誤差にも確実に対応することでがたつきのない良好な保持状態が得られることになる。
【００３５】
また、本実施例は、背部材１，左部材２及び右部材３を、縦材１Ａ，２Ａ，３Ａと横材１Ｂ，２Ｂ，３Ｂとから成る方形枠状体で構成し、この背部材１の縦材１Ａに連設される左部材２の縦材２Ａ及び背部材１の縦材１Ａに連設される右部材３の縦材３Ａを、起き動させた底部材４に設けた係止突起６が撓んで通過した後に落ち込み係止することで底部材４の起き状態を保持する係止部５として構成したから、コンテナを構成する左部材２，右部材３夫々の構成部位が底部材４に設けた係止突部６が係止する係止部５として機能するから、既存のものでよく特別な係止部材を別途設ける必要がないなど、コスト安にして量産性に秀れることになる。
【００３６】
また、本実施例は、係止突部６を底部材４の左右側部夫々に突設したから、左右位置で確実に且つ堅固に保持されることになり、より一層がたつきが防止されることになる。
【００３７】
尚、本発明は、本実施例に限られるものではなく、各構成要件の具体的構成は適宜設計し得るものである。
【００３８】
【発明の効果】
本発明は上述のように構成したから、底部材の伏状態若しくは起状態が確実に保持されることになり、しかも、コスト安にして量産性に秀れることになるなど極めて商品価値の高い画期的なコンテナとなる。
【００３９】
また、請求項２記載の発明においては、係止突部は確実に撓み弾性を生じて係止部に係止することになるなど極めて商品価値の高い画期的なコンテナとなる。
【００４０】
また、請求項３記載の発明においては、係止突部を係止するための特別な係止部材を別途設ける必要がないなど、コスト安にして量産性に秀れることになるなど極めて商品価値の高い画期的なコンテナとなる。
【００４１】
また、請求項４記載の発明においては、係止突部を底部材の左右側部夫々に突設した場合には、左右位置で確実に且つ堅固に保持されることになり、より一層がたつきが防止されることになるなど極めて商品価値の高い画期的なコンテナとなる。
【図面の簡単な説明】
【図１】本実施例を示す斜視図である。
【図２】本実施例の概略動作説明図である。
【図３】本実施例に係る要部の説明斜視図である。
【図４】本実施例に係る要部の説明平面図である。
【図５】本実施例に係る要部の説明平面図である。
【図６】本実施例に係る要部の概略動作説明図である。
【図７】本実施例に係る要部の概略動作説明図である。
【符号の説明】
１　背部材
１Ａ　縦材
１Ｂ　横材
２　左部材
２Ａ　縦材
２Ｂ　横材
３　右部材
３Ａ　縦材
３Ｂ　横材
４　底部材
４ａ　取付孔部
５　係止部
６　係止突部
１１　板状体
【図１】
2004090873.tif 000003
【図２】
2004090873.tif 000004
【図３】
2004090873.tif 000005
【図４】
2004090873.tif 000006
【図５】
2004090873.tif 000007
【図６】
2004090873.tif 000008
【図７】
2004090873.tif 000009